(57)【要約】【課題】スタンドと、スタンドに着脱可能な本体とからなる顕微鏡を用いて試料を観察する場合に、利便性を向上させる。【解決手段】顕微鏡１１は、本体２１とスタンド２２とからなり、本体２１はスタンド２２に対して着脱可能とされている。本体２１がスタンド２２から取り外された場合、本体２１が単体で顕微鏡として機能できるように、本体２１には対物レンズ３３乃至小型モニタ３７、およびバッテリ４４が設けられている。また、本体２１がスタンド２２に機械的に接続されると、本体２１およびスタンド２２は、コネクタ４５により電気的に接続される。そして、モニタ１２に試料１３の観察画像が表示されるとともに、小型モニタ３７には、ズーム倍率等の本体２１における状態を示す状態情報が表示される。本発明は、顕微鏡に適用することができる。【選択図】図１
2010256439.tif 000002
【特許請求の範囲】
【請求項１】
試料を観察するための本体を固定するスタンドと、前記スタンドに着脱可能な前記本体とからなる顕微鏡であって、
前記本体は、前記試料の観察画像を撮像する撮像手段と、画像を表示する第１の表示手段とを備え、
前記本体および前記スタンドは、前記本体が前記スタンドに接続された状態で前記本体と前記スタンドとを電気的に接続する電気接続手段を備え、
前記本体と前記スタンドとが電気的に接続された場合、前記本体の状態に関する状態情報を前記第１の表示手段に表示させ、かつ前記スタンドに接続された第２の表示手段に前記観察画像を表示させる制御手段を備える
ことを特徴とする顕微鏡。
【請求項２】
前記制御手段は、第１の制御手段と第２の制御手段とを備え、前記状態情報を前記第１の表示手段に表示させるための前記第１の制御手段は、前記本体に設けられ、前記観察画像を前記第２の表示手段に表示させるための前記第２の制御手段は、前記スタンドに設けられる
ことを特徴とする請求項１に記載の顕微鏡。
【請求項３】
前記第１の制御手段は、前記本体と前記スタンドとが電気的に接続されていない場合、前記観察画像を前記第１の表示手段に表示させる
ことを特徴とする請求項２に記載の顕微鏡。
【請求項４】
前記第１の制御手段は、前記本体と前記スタンドとが電気的に接続されていない場合、さらに前記状態情報を前記第１の表示手段に表示させる
ことを特徴とする請求項２または請求項３に記載の顕微鏡。
【請求項５】
前記第１の制御手段は、前記本体と前記スタンドとが電気的に接続されていない場合、前記第１の表示手段を消灯させる
ことを特徴とする請求項２乃至請求項４の何れか１項に記載の顕微鏡。
【請求項６】
前記制御手段は、前記本体と前記スタンドが接続されている場合、前記第２の表示手段に観察画像または状態情報を表示させ、前記第１の表示手段は消灯させる
ことを特徴とする請求項１に記載の顕微鏡。
【請求項７】
前記本体に設けられ、前記試料を照明する照明手段をさらに備える
ことを特徴とする請求項１乃至請求項６の何れか１項に記載の顕微鏡。
【請求項８】
前記本体と前記スタンドとを機械的に接続する機械接続手段をさらに備え、
前記本体および前記スタンドは、前記機械接続手段により機械的に接続された状態となったときに、前記電気接続手段により電気的に接続された状態となる
ことを特徴とする請求項１乃至請求項７の何れか１項に記載の顕微鏡。
【請求項９】
前記本体は、前記本体に電力を供給するバッテリを備え、
前記スタンドに設けられ、前記本体と前記スタンドとが電気的に接続された場合、前記バッテリを充電する充電手段をさらに備える
ことを特徴とする請求項１に記載の顕微鏡。
【発明の詳細な説明】
【技術分野】
【０００１】
本発明は、本体とスタンドとからなり、本体をスタンドから取り外して試料を観察することができるようにした顕微鏡に関する。
【背景技術】
【０００２】
従来、デジタルマイクロスコープと呼ばれる顕微鏡が知られている。デジタルマイクロスコープは、筒形状の本体と、本体を機械的に保持するスタンドとからなる顕微鏡であり、本体には対物レンズ等からなる光学系と、光学系により導かれた、試料からの観察光を撮像するCCD（Charge Coupled Devices）とが設けられている。
【０００３】
デジタルマイクロスコープで試料を観察する場合、本体の動作を制御するためのコントローラと、CCDにより撮像された試料の観察画像を表示させるモニタとが、ケーブルにより本体に接続される。そして、観察対象となる試料に応じて、本体がスタンドから取り外された状態、または本体がスタンドに取り付けられた状態で観察が行われる。
【０００４】
例えば、本体がスタンドから取り外された状態で観察が行われる場合、検鏡者は本体を手で持って試料の所望の部位に近づけ、試料を観察する。この場合、CCDにより撮像された観察画像が、本体に接続されたモニタに表示される。このように、デジタルマイクロスコープを利用すれば、確実に観察することができる（例えば、特許文献１参照）。
【先行技術文献】
【特許文献】
【０００５】
【特許文献１】特開２００８−１７５８９３号公報
【発明の概要】
【発明が解決しようとする課題】
【０００６】
しかしながら、デジタルマイクロスコープを用いた観察では、コントローラやモニタがケーブルにより本体に接続されるため、使い勝手が悪かった。
【０００７】
デジタルマイクロスコープを用いた観察では、検鏡者が、ズーム倍率等の本体における状態に関する情報を表示させようとすると、モニタに、状態に関する情報と観察画像とが重なって表示されることになり、観察画像が見えにくくなってしまう。
【０００８】
本発明は、このような状況に鑑みてなされたものであり、スタンドと、スタンドに着脱可能な本体とからなる顕微鏡を用いて試料を観察する場合に、モニタに表示された観察画像をより見易くすることができるようにするものである。
【課題を解決するための手段】
【０００９】
本発明の顕微鏡は、試料を観察するための本体を固定するスタンドと、前記スタンドに着脱可能な前記本体とからなる顕微鏡であって、前記本体は、前記試料の観察画像を撮像する撮像手段と、画像を表示する第１の表示手段とを備前記本体および前記スタンドは、前記本体が前記スタンドに接続された状態で前記本体と前記スタンドとを電気的に接続する電気接続手段を備え、前記本体と前記スタンドとが電気的に接続された場合、前記本体の状態に関する状態情報を前記第１の表示手段に表示させ、かつ前記スタンドに接続された第２の表示手段に前記観察画像を表示させる制御手段を備えることを特徴とする。
【発明の効果】
【００１０】
本発明によれば、スタンドと、スタンドに着脱可能な本体とからなる顕微鏡を用いて試料を観察することができる。特に、本発明によれば、スタンドと、スタンドに着脱可能な本体とからなる顕微鏡を用いて試料を観察する場合に、モニタに表示された観察画像をより見易くすることができる。
【図面の簡単な説明】
【００１１】
【図１】本願発明を適用した顕微鏡観察システムの一実施の形態の構成例を示す図である。
【図２】顕微鏡の断面を示す矢視図である。
【図３】顕微鏡の断面を示す矢視図である。
【図４】本体をスタンドから取り外したときの外観を示す図である。
【図５】観察処理を説明するフローチャートである。
【発明を実施するための形態】
【００１２】
以下、図面を参照して、本発明を適用した実施の形態について説明する。
【００１３】
図１は、本発明を適用した顕微鏡観察システムの一実施の形態の構成例を示す図である。
【００１４】
この顕微鏡観察システムは、顕微鏡１１と、顕微鏡１１に接続されたモニタ１２とからなり、顕微鏡観察システムにより観察対象の試料１３が観察される。
【００１５】
顕微鏡１１は、試料１３を観察するための光学系、撮像素子、各部を制御する電気系等が設けられた本体２１と、本体２１が固定されるスタンド２２とからなり、本体２１はスタンド２２に対して着脱可能となっている。図１の例では、本体２１とスタンド２２とは、機械的にかつ電気的に接続された状態となっており、スタンド２２に設けられたステージ３１上に試料１３が載置されている。なお、本体２１は、スタンド２２から取り外された状態であっても、本体２１単体で１つの顕微鏡として機能するようになされている。
【００１６】
本体２１におけるステージ３１側の端の対物レンズ３３に隣接する位置には、本体２１の筐体内壁に沿って複数のLED（Light Emitting Diode）３２が輪帯状に並べられて固定されており、LED３２は試料１３に照明光を照射することで、試料１３を照明する。本体２１では、複数のLED３２の全部を一度に点灯させたり、一部のLED３２のみを点灯させて試料１３を偏斜照明したりすることが可能とされている。
【００１７】
また、本体２１内部のステージ３１側の端には、LED３２に囲まれるように対物レンズ３３が設けられ、本体２１内部の中央には、試料１３からの観察光の像の倍率を変化させるズーム光学系３４と、観察光の像を形成する結像光学系３５とが設けられている。
【００１８】
さらに、本体２１内部の対物レンズ３３が設けられた端と反対側の端には、結像光学系３５により形成された観察光の像を撮像することで、試料１３の観察画像、より詳細には観察画像の画像データを得るCCD３６が設けられている。
【００１９】
本体２１には、液晶モニタなどからなり、CCD３６により撮像された観察画像を表示する小型モニタ３７と、本体２１に対して着脱自在であり、観察画像を記録するメモリ３８とが設けられている。この小型モニタ３７は、図１のように本体２１の側面に設けてもよいが、好ましくはモニタを保持する保持部材（不図示）が、本体２１に対して開閉可能なようにヒンジ構造等により配置される。
【００２０】
また、本体２１には、ズーム光学系３４のズーム倍率を変化させるときに操作されるズームスイッチ３９、およびLED３２からの照明光の光量等を調整するときに操作される調光スイッチ４０が設けられている。
【００２１】
さらに、本体２１には、観察画像のキャプチャを指示するときに操作されるキャプチャボタン４１、および小型モニタ３７における表示の切り替えを指示するための切り替えボタン４２が設けられている。
【００２２】
切り替えボタン４２は、本体２１がスタンド２２から取り外された状態で使用される場合に、小型モニタ３７に、観察画像だけを表示させるか、または観察画像とともに、本体２１の状態に関する情報である状態情報を表示させるかを切り替えるときに操作される。
【００２３】
また、本体２１内部には、本体２１全体の動作を制御する制御基板４３と、本体２１の各部、例えばLED３２、小型モニタ３７、CCD３６、制御基板４３等に電力を供給するバッテリ４４とが設けられている。バッテリ４４は本体２１に対して着脱可能であり、バッテリ４４を本体２１から外して、図示せぬ専用の充電器により充電することができるようになされている。
【００２４】
さらに、本体２１およびスタンド２２には、それぞれ本体２１とスタンド２２とを接続するための一対のコネクタ４５−１およびコネクタ４５−２が設けられている。これらのコネクタ４５−１とコネクタ４５−２とが接続されると、本体２１とスタンド２２とが機械的に接続され、かつ電気的にも接続される。なお、以下、コネクタ４５−１およびコネクタ４５−２を個々に区別する必要のない場合、単にコネクタ４５とも称する。
【００２５】
また、本体２１には、本体２１がスタンド２２に接続されたときに、本体２１をスタンド２２に対して固定するためのクランプ４６が設けられている。但し、このクランプ４６は、必須ではなく、本体２１が適度な嵌合力でスタンド２２に設置されてもよい。
【００２６】
さらに、スタンド２２には、ステージ３１を図中、スタンド２２の長手方向（以下、上下方向）に移動させるときに操作される上下動ハンドル４７が設けられている。上下動ハンドル４７が操作されると、ステージ３１が駆動され、移動する。これにより、本体２１をスタンド２２に装置した状態でステージ３１上の試料１３への焦準を行うことができる。
【００２７】
なお、ステージ３１は、図示せぬハンドル等により、図中、横方向および奥行き方向にも移動可能とされている。また、ステージ３１は機械的な機構により、手動で駆動されてもよく、電動駆動されてもよい。さらに、ステージ３１が回転したり、傾斜したりするような機構が設けられてもよい。
【００２８】
また、スタンド２２には、本体２１が接続されるアーム４８が設けられており、アーム４８は、スタンド２２に設けられた上下動ハンドル４９が操作されると、スタンド２２の長手方向（以下、上下方向）に移動する。検鏡者は、上下動ハンドル４７や上下動ハンドル４９を操作することで、ステージ３１や本体２１を上下方向に移動させ、ピント調整を行うことができる。なお、アーム４８も手動または電動の何れにより駆動されてもよい。
【００２９】
なお、アーム４８は、スタンド２２から突出して設けられているが、例えば、スタンド２２の長手方向に沿ってスタンド２２にアリを設け、これに沿って移動可能なように本体２１を設置してもよい。このとき、アリはコネクタ４５の機能を備え、電気的な接続も達成するようにしてもよい。
【００３０】
さらに、顕微鏡１１では、本体２１をスタンド２２に取り付ける場合に、本体２１が、アーム４８のコネクタ４５−２が設けられている当接面４８ａで係止されるようになっている。そのため、本体２１を当接面４８ａに押し当てて、クランプ４６により本体２１をアーム４８に固定すれば、本体２１の安定性を向上させることができる。
【００３１】
スタンド２２には、本体２１をスタンド２２に装着して使用するときに用いられ、ズーム光学系３４のズーム倍率を変化させるときに操作されるズームスイッチ５０、およびLED３２からの照明光の光量等を調整するときに操作される調光スイッチ５１が設けられている。
【００３２】
また、スタンド２２には、スタンド２２に接続された図示せぬ電源からの電力を、コネクタ４５を介して本体２１の各部、例えばLED３２、小型モニタ３７、CCD３６、制御基板４３等に供給する給電部５２が設けられている。給電部５２は、充電ユニット５３を備えており、充電ユニット５３は図示せぬ電源から給電部５２に供給された電力を、コネクタ４５を介してバッテリ４４に供給することで、バッテリ４４を充電することも可能である。
【００３３】
さらに、スタンド２２には、スタンド２２全体の動作を制御する制御基板５４が設けられており、制御基板５４は、コネクタ４５を介して制御基板４３と電気的に接続される。
【００３４】
例えば、制御基板５４は、コネクタ４５を介して制御基板４３から観察画像が供給されると、供給された観察画像を、スタンド２２に接続されたモニタ１２に表示させる。また、制御基板５４は、ズームスイッチ５０や調光スイッチ５１が操作されると、ズームスイッチ５０や調光スイッチ５１から供給される信号に応じて、コネクタ４５を介して制御基板４３にズーム倍率の変更や、LED３２の光量の変更を指示する。
【００３５】
モニタ１２の表示部には、図示せぬタッチパネルが重畳されて設けられており、検鏡者はタッチパネルを操作することで、観察画像のキャプチャ等、試料１３の観察時に行われる顕微鏡１１の各種の動作を指示することができる。検鏡者によりタッチパネルが操作されると、その操作に応じた信号がモニタ１２から制御基板５４に供給される。
【００３６】
また、検鏡者は、モニタ１２のタッチパネルを操作することで、メモリ３８に記録されている観察画像を示す情報、例えばファイル名やサムネイル画像、観察画像自体をモニタ１２に表示させることもできる。
【００３７】
次に、図２および図３を参照して、本体２１とスタンド２２との機械的な接続、および電気的な接続について説明する。
【００３８】
図２は、顕微鏡１１を図１の矢印Ａの方向から見た場合の矢視図である。つまり、図２は、顕微鏡１１を図１の上（ＣＣＤ３６方向）から下方向（対物レンズ３３方向）に見たときの、クランプ４６の位置における顕微鏡１１の断面図である。
【００３９】
本体２１とスタンド２２とは、上述したコネクタ４５によっても機械的に接続されるが、本体２１とスタンド２２との機械的な接続は、主に本体２１に設けられたメスアリ８１と、アーム４８に設けられたオスアリ８２によりなされる。
【００４０】
すなわち、本体２１のアーム４８と当接する面には、図２中、奥行き方向、つまり図１のスタンド２２の長手方向（以下、Ｚ方向とも称する）に長い溝が設けられてメスアリ８１とされている。また、アーム４８の本体２１と当接する面には、メスアリ８１と嵌合するＺ方向に長い突出部が形成され、オスアリ８２とされている。
【００４１】
そして、本体２１とスタンド２２とを機械的に接続させる場合には、検鏡者は、本体２１が所望の位置となるように、メスアリ８１とオスアリ８２とが嵌合された状態で、本体２１をスタンド２２に対してＺ方向にスライドさせて位置合わせを行う。さらに、本体２１が所望の位置となると、検鏡者は、棒状のクランプ４６により本体２１のメスアリ８１の部分をアーム４８のオスアリ８２の部分に押し付けて、本体２１をアーム４８に固定する。このようにして、本体２１はスタンド２２に機械的に接続される。クランプ４６はセットビスのようなねじ構造のものでもよい。
【００４２】
また、顕微鏡１１では、図３に示すように、本体２１がスタンド２２に機械的に接続（固定）されると同時に、本体２１とスタンド２２とが電気的にも接続されるようになされている。図３は、顕微鏡１１を図１の矢印Ｂの方向から見た場合の矢視図である。つまり、図３は、顕微鏡１１を図１の上（ＣＣＤ３６方向）から下方向（対物レンズ３３方向）に見たときの、小型モニタ３７付近の位置における顕微鏡１１の断面図である。
【００４３】
コネクタ４５は、本体２１とアーム４８が機械的に接続された状態となったときに、コネクタ４５−１とコネクタ４５−２も機械的に接続された状態となるように、顕微鏡１１に設けられている。コネクタ４５同士が機械的に接続されると、本体２１およびスタンド２２のそれぞれに設けられた、給電用の線や、制御基板４３と制御基板５４を接続する線等が相互に接続され、本体２１とスタンド２２とが電気的にも接続される。つまり、本体２１とスタンド２２とは、いわゆるワンアクションで機械的にも電気的にも接続される。
【００４４】
したがって、検鏡者は、本体２１をアーム４８に固定するだけで、機械的、電気的な接続を特に意識することなく、簡単に本体２１とスタンド２２とを機械的にも電気的にも接続することができる。
【００４５】
また、本体２１をアーム４８に固定するときに、何らかの理由により、本体２１のコネクタ４５−１が、スタンド２２のコネクタ４５−２に対してＺ方向と垂直な方向、つまり図３中、縦方向および横方向（以下、ＸＹ方向とも称する）にずれてしまう可能性がある。
【００４６】
したがって、本体２１のＺ方向の位置調整と、本体２１のＸＹ方向へのずれを考慮すると、例えば、ばね等を利用して、コネクタ４５がＺ方向およびＸＹ方向に多少のずれを許容できる機能を有するようにすることが望ましい。また、コネクタ４５が機械部品により保持されるようにし、その機械部品に、コネクタ４５のずれを許容する機構が設けられるようにしてもよい。
【００４７】
なお、本体２１とアーム４８とは、アリ形状を利用してメスアリ８１およびオスアリ８２により接続されると説明したが、アーム４８に対する本体２１の位置をＺ方向およびＸＹ方向に調整可能であり、本体２１およびスタンド２２を機械的、電気的に同時に接続可能であれば、どのように接続されてもよい。例えば、丸棒などの嵌合や、矩形のガイド形状などが利用されて、本体２１とスタンド２２とが接続されるようにしてもよい。
【００４８】
また、本体２１には、光源としてのLED３２、試料１３の像を結像するための対物レンズ３３乃至結像光学系３５、観察画像を撮像するCCD３６、観察画像を表示する小型モニタ３７、および本体２１の各部に電力を供給するバッテリ４４が設けられている。そのため検鏡者は、図４に示すように、本体２１をスタンド２２から取り外し、本体２１を単体の顕微鏡として用いて試料１３を観察することができる。
【００４９】
本体２１がスタンド２２から分離された状態となると、制御基板４３は、本体２１への電力の供給元をスタンド２２（給電部５２）からバッテリ４４に切り替えるとともに、観察画像の供給先もスタンド２２から小型モニタ３７に切り替える。これにより、本体２１が単体で顕微鏡として機能し、観察画像が小型モニタ３７に表示される。
【００５０】
検鏡者は本体２１を手で持ち、試料１３の所望の部位を観察できるように、本体２１の対物レンズ３３を試料１３に向ける。すると、小型モニタ３７には、本体２１を近づけた試料１３の部位の観察画像が表示されるので、検鏡者は、表示された観察画像を見たり、キャプチャボタン４１を操作して観察画像をキャプチャさせたりして、試料１３を観察する。図示しないが本体２１に、本体２１に対して突出して設けられた把持部を形成してもよい。また、この把持部にキャプチャボタン４１を配置すれば、より操作性を向上させることが可能となる。
【００５１】
また、検鏡者は、小型モニタ３７に、観察画像および状態情報を表示させたいときには、切り替えボタン４２を操作して、小型モニタ３７に状態情報を表示させる。状態情報は、具体的には、ズーム光学系３４のズーム倍率、LED３２からの照明光の光量、対物レンズ３３およびズーム光学系３４の開口数（NA（numerical aperture））といった本体２１における試料１３の観察条件や、バッテリ４４の残量、メモリ３８の空き容量などとされる。
【００５２】
例えば、ズームスイッチ３９や調光スイッチ４０が操作されると、ズームスイッチ３９や調光スイッチ４０から制御基板４３には、操作に応じた信号が供給される。また、ズームスイッチ５０や調光スイッチ５１が操作されると、制御基板５４から制御基板４３には、それらの操作に応じた信号が供給される。したがって、制御基板４３は、ズームスイッチ３９や制御基板５４から供給される信号から、状態情報としてのズーム光学系３４のズーム倍率や、照明光の光量、つまり明るさを得ることができる。
【００５３】
また、例えば、制御基板４３は、メモリ３８にアクセスしたり、バッテリ４４に負荷をかけたりすることで、状態情報としてのメモリ３８の空き容量や、バッテリ４４の電力の残量を得ることができる。制御基板４３は、このようにして得た状態情報を小型モニタ３７に供給し、表示させる。
【００５４】
なお、状態情報として、通常の設定で観察画像を撮像するノーマルモードか、またはズーム光学系３４等の絞りを絞って、より高精細な観察画像を撮像する高精細モードであるかなどの情報が小型モニタ３７に表示されるようにしてもよい。
【００５５】
このように顕微鏡１１においては、本体２１をスタンド２２から取り外した場合には、本体２１が単体で顕微鏡として機能するので、ケーブル等により本体２１にモニタやコントローラを接続することなく、簡単に試料１３を観察することができる。これにより、顕微鏡１１の利便性を向上させることができる。
【００５６】
ところで、顕微鏡１１の電源がオンされて、顕微鏡１１の各部に電力が供給されると、顕微鏡１１は、試料１３を撮像して観察画像を表示する処理である観察処理を開始する。以下、図５のフローチャートを参照して、顕微鏡１１による観察処理について説明する。
【００５７】
ステップＳ１１において、制御基板４３は、本体２１がスタンド２２に、電気的に接続されているか否かを判定する。
【００５８】
例えば、本体２１がスタンド２２に接続されているか否かの検出は、コネクタ４５に設けられた、不図示の機械的なスイッチやセンサなどにより行われる。また、例えば、本体２１とスタンド２２が電気的に接続されている状態のときに、制御基板５４から制御基板４３に、接続されている旨の信号が供給される機構などを顕微鏡１１に設け、その機構によりスタンド２２との接続が検出されるようにしてもよい。
【００５９】
ステップＳ１１において本体２１がスタンド２２に接続されていると判定された場合、ステップＳ１２において、制御基板４３は、本体２１への電力の供給元としてスタンド２２の給電部５２を選択する。
【００６０】
そして、制御基板４３は、コネクタ４５を介して制御基板５４に給電部５２からの電力の供給を指示する。すると、制御基板５４は制御基板４３の指示に応じて給電部５２の動作を制御し、給電部５２は、制御基板５４の制御に従って外部の電源からの電力を、コネクタ４５を介して本体２１の各部に供給する。
【００６１】
ステップＳ１３において、給電部５２の充電ユニット５３は、コネクタ４５を介してバッテリ４４に電力を供給し、バッテリ４４を充電する。これにより、検鏡者は、バッテリ４４を本体２１から取り外すことなく充電させることができる。但し、この充電作業は必須ではなく、充電は外部充電器で実施しておくことも可能である。
【００６２】
ステップＳ１４において、制御基板４３は観察画像の供給先としてスタンド２２を選択する。これにより、観察画像がモニタ１２に表示されるようになる。
【００６３】
ステップＳ１５において、顕微鏡１１は試料１３の観察画像を撮像する。すなわち、制御基板４３はLED３２を制御して、試料１３に照明光を照射させる。すると、LED３２からの照明光が試料１３に照射され、これにより試料１３からの観察光が対物レンズ３３、ズーム光学系３４、および結像光学系３５を通って、CCD３６に入射する。CCD３６は、入射した観察光を受光して光電変換することで、観察画像を撮像する。このようにして得られた動画像としての各フレームの観察画像は、CCD３６から制御基板４３に供給される。
【００６４】
ステップＳ１６において、制御基板５４は、観察画像をモニタ１２に表示させる。すなわち、制御基板４３は、CCD３６から供給された観察画像を、コネクタ４５を介してスタンド２２の制御基板５４に供給する。すると制御基板５４は、制御基板４３からの観察画像をモニタ１２に供給し、表示させる。
【００６５】
これにより検鏡者は、モニタ１２に表示される観察画像を見て、試料１３を観察することができるようになる。例えば、スタンド２２に、小型モニタ３７よりも表示部の大きい（解像度の高い）モニタ１２を接続すれば、観察画像をより大きく鮮明に表示させて観察することができるようになる。
【００６６】
ステップＳ１７において、制御基板４３は、本体２１の状態を示す状態情報を小型モニタ３７に供給し、表示させる。これにより、検鏡者は、モニタ１２に表示された観察画像を見て試料１３を観察しながら、必要に応じて小型モニタ３７に表示された状態情報を見て、ズーム光学系３４のズーム倍率等の本体２１の状態を知ることができる。
【００６７】
例えば、図１の例では、モニタ１２に試料１３の観察画像が表示され、小型モニタ３７には、状態情報として、ズーム光学系３４のズーム倍率を示す文字「zoom 8.5×」と、照明光の明るさを示す文字「Light 70％」が表示されている。
【００６８】
このように、本体２１をスタンド２２に装着しモニタ１２に観察画像を表示することによって、観察画像を表示させる必要のなくなった小型モニタ３７に状態情報を表示すれば、状態情報をより見やすく検鏡者に提示することができる。また、モニタ１２の観察画像に状態情報を重畳して表示させる必要もないので、観察画像も見やすくなる。また、小型モニタ３７の表示部を本体２１にヒンジ等で装着し、本体２１に対する表示部の向きを可変にすることで、本体２１をスタンド２２に装着した際、表示部が検鏡者側に向くようにするとより有効である。
【００６９】
なお、本体２１がスタンド２２に電気的に接続されている場合、小型モニタ３７に状態情報を表示させると説明したが、小型モニタ３７が消灯されるようにしてもよく、小型モニタ３７に観察画像と状態情報とが重畳表示されるようにしてもよい。
【００７０】
また、検鏡者は、モニタ１２に観察画像および状態情報を同時に表示させたい場合には、モニタ１２に重畳されたタッチパネルを操作することにより、観察画像への状態情報の重畳表示を指示することができる。検鏡者がタッチパネルを操作して、状態情報の重畳表示を指示すると、タッチパネル（モニタ１２）から制御基板５４には、その操作に応じた信号が供給される。あるいは、状態表示専用のエリアを表示部の下側または左側、右側、上側等に設け、常に状態が表示されるようにしておいてもよい。
【００７１】
ステップＳ１８において、制御基板５４は、モニタ１２のタッチパネルから供給された信号に基づいて、モニタ１２に状態情報を表示させるか否かを判定する。例えば、タッチパネルから制御基板５４に、モニタ１２における観察画像への状態情報の重畳表示を指示する信号が供給された場合、状態情報を表示させると判定される。
【００７２】
ステップＳ１８において、モニタ１２に状態情報を表示させると判定された場合、ステップＳ１９において、制御基板５４は、モニタ１２に状態情報を表示させる。すなわち、制御基板５４は、制御基板４３に対して状態情報の供給を要求する。すると、制御基板４３は、コネクタ４５を介して、状態情報を制御基板５４に供給するので、制御基板５４は、制御基板４３からの状態情報をモニタ１２に供給し、観察画像に状態情報を重畳して表示させる。
【００７３】
これにより、モニタ１２には、観察画像および状態情報が同時に表示されることになる。なお、モニタ１２に状態情報が表示された状態では、必ずしも本体２１の小型モニタ３７に状態情報を表示しておく必要はないので、小型モニタ３７が消灯されるようにしてもよい。モニタ１２に状態情報が表示されると、その後、処理はステップＳ２０に進む。
【００７４】
また、ステップＳ１８において、モニタ１２に状態情報を表示させないと判定された場合、ステップＳ１９の処理は行われず、処理はステップＳ２０に進む。
【００７５】
ステップＳ１８においてモニタ１２に状態情報を表示させないと判定されたか、またはステップＳ１９において、モニタ１２に状態情報が表示されると、ステップＳ２０において、制御基板４３は、観察画像のキャプチャが指示されたか否かを判定する。
【００７６】
すなわち、制御基板４３は、キャプチャボタン４１から供給された信号、または検鏡者によるモニタ１２のタッチパネルへの操作に応じて、制御基板５４から供給された信号に基づいて、観察画像のキャプチャが指示されたか否かを判定する。
【００７７】
ステップＳ２０においてキャプチャが指示されたと判定された場合、ステップＳ２１において、制御基板４３は、CCD３６から供給された観察画像をキャプチャする。そして、制御基板４３は、キャプチャにより得られた静止画像としての観察画像を、メモリ３８に供給して記録させ、処理はステップＳ２２に進む。
【００７８】
なお、キャプチャされた観察画像がメモリ３８に記録されるだけでなく、モニタ１２に表示されるようにしてもよい。
【００７９】
これに対して、ステップＳ２０においてキャプチャが指示されなかったと判定された場合、ステップＳ２１の処理は行われず、処理はステップＳ２２に進む。
【００８０】
ステップＳ２０においてキャプチャが指示されなかったと判定されたか、またはステップＳ２１において観察画像がキャプチャされると、ステップＳ２２において、制御基板４３は、顕微鏡１１の光学系に対する操作がなされたか否かを判定する。
【００８１】
例えば、ズームスイッチ３９若しくは調光スイッチ４０から制御基板４３に、検鏡者の操作に応じた信号が供給された場合、またはズームスイッチ５０若しくは調光スイッチ５１に対する操作に応じた信号が、制御基板５４から制御基板４３に供給された場合、光学系に対する操作がなされたと判定される。
【００８２】
ステップＳ２２において、光学系に対する操作がなされたと判定された場合、ステップＳ２３において、制御基板４３は、検鏡者の操作に応じた処理を行い、その後、処理はステップＳ２４に進む。
【００８３】
例えば、ズームスイッチ３９またはズームスイッチ５０が操作された場合、制御基板４３は、図示せぬ駆動回路を制御して、ズーム光学系３４を構成するレンズを移動させ、ズーム光学系３４のズーム倍率を変更させる。また、例えば、調光スイッチ４０または調光スイッチ５１が操作された場合、制御基板４３は、LED３２を制御して、LED３２からの照明光の光量を変更させる。
【００８４】
一方、ステップＳ２２において、光学系に対する操作がなされなかったと判定された場合、ステップＳ２３の処理は行われず、処理はステップＳ２４に進む。
【００８５】
ステップＳ２２において操作がなされなかったと判定されたか、またはステップＳ２３において操作に応じた処理が行われると、ステップＳ２４において、制御基板４３は、顕微鏡１１の電源をオフするか否かを判定する。例えば、検鏡者により図示せぬ電源スイッチが操作され、顕微鏡１１の電源のオフが指示されると、電源をオフすると判定される。
【００８６】
ステップＳ２４において、電源をオフしないと判定された場合、継続して試料１３の観察を行うので、処理はステップＳ１１に戻り、上述した処理が繰り返される。
【００８７】
これに対して、ステップＳ２４において、電源をオフすると判定された場合、制御基板４３および制御基板５４は顕微鏡１１の電源をオフし、観察処理は終了する。
【００８８】
また、ステップＳ１１において、本体２１がスタンド２２に接続されていないと判定された場合、ステップＳ２５において、制御基板４３は本体２１への電力の供給元として、本体２１側のバッテリ４４を選択する。すなわち、制御基板４３は、バッテリ４４を制御して、本体２１の各部に電力を供給させる。
【００８９】
これにより、本体２１が単体で顕微鏡として機能することができるようになる。本体２１がスタンド２２から取り外されると、図４を参照して説明したように、検鏡者は、本体２１を手に持って試料１３を観察する。
【００９０】
ステップＳ２６において、制御基板４３は、観察画像の供給先として本体２１を選択する。これにより、観察画像は小型モニタ３７に表示されるようになる。そして、ステップＳ２７において、顕微鏡１１は試料１３の観察画像を撮像する。このステップＳ２７においては、ステップＳ１５の処理と同様の処理が行われる。
【００９１】
ステップＳ２８において、制御基板４３は、CCD３６から供給された観察画像を、小型モニタ３７に供給し、表示させる。
【００９２】
ステップＳ２９において、制御基板４３は、小型モニタ３７に状態情報を表示させるか否かを判定する。例えば、検鏡者により切り替えボタン４２が操作されて、切り替えボタン４２が、状態情報を表示させる旨の信号を制御基板４３に供給する状態となっている場合、状態情報を表示させると判定される。
【００９３】
ステップＳ２９において、状態情報を表示させると判定された場合、ステップＳ３０において、制御基板４３は、状態情報を小型モニタ３７に供給し、表示させる。これにより、小型モニタ３７には、状態情報が観察画像に重畳されて表示される。
【００９４】
小型モニタ３７に、観察画像および状態情報が表示されると、その後、処理はステップＳ２０に進み、上述した処理が繰り返される。
【００９５】
一方、ステップＳ２９において、状態情報を表示させないと判定された場合、ステップＳ３０の処理は行われず、処理はステップＳ２０に進み、上述した処理が繰り返される。
【００９６】
以上のようにして、顕微鏡１１は、本体２１とスタンド２２とが接続されているか否かに応じて、電力の供給元および観察画像の表示を切り替えることにより、顕微鏡１１の利便性を向上させることができる。
【００９７】
例えば、本体２１がスタンド２２に取り付けられている場合には、外部から本体２１に電力を供給することにより、本体２１側のバッテリ４４の消耗を抑制することができる。したがって、検鏡者は、本体２１をスタンド２２から取り外したときに、より長い時間、本体２１を使用することができる。
【００９８】
また、本体２１がスタンド２２に取り付けられている場合には、モニタ１２に観察画像を表示させるとともに、小型モニタ３７に状態情報を表示させることで、観察画像および状態情報を、より見やすく表示することができる。
【００９９】
さらに、顕微鏡１１では、本体２１がスタンド２２から取り外された場合には、本体２１が単体で顕微鏡として機能するようにし、かつ本体２１がスタンド２２に機械的に接続されたときには、同時に電気的にも接続されるようにしたので、利便性と試料１３の観察環境とを向上させることができる。
【０１００】
例えば、本体２１がスタンド２２から取り外された場合には、本体２１を単体で顕微鏡として機能させることで、ケーブル等により本体２１にモニタやコントローラを接続する必要がなくなり、利便性が向上する。つまり、検鏡者は、いちいちコントローラやモニタを持ち運ぶことなく、本体２１をスタンド２２から取り外すだけで、簡単かつ迅速に観察を開始することができる。この時、小型モニタ３７に、観察中の試料の拡大像を表示することで、検鏡者の使い勝手が向上する。
【０１０１】
また、本体２１をスタンド２２に取り付けて試料１３を観察する場合、本体２１とスタンド２２とが機械的に接続されると、同時に本体２１およびスタンド２２が電気的にも接続されるので、本体２１とスタンド２２とをいちいちケーブルにより接続しなくてもよい。しかも、本体２１にはモニタ等の機器を接続する必要はないので、面倒なケーブルの引き回しにより作業性が低下してしまうこともない。
【０１０２】
さらに、顕微鏡１１においては、本体２１にケーブル等で他の機器を接続する必要がないので、ケーブルの揺れなどにより、スタンド２２に固定された本体２１が振動してしまうこともなく、試料１３をより良好な環境で観察することができる。すなわち、試料１３の観察環境を向上させることができる。
【０１０３】
なお、本発明の実施の形態は、上述した実施の形態に限定されるものではなく、本発明の要旨を逸脱しない範囲において種々の変更が可能である。
【符号の説明】
【０１０４】
１１  顕微鏡，  １２  モニタ，  １３  試料，  ２１  本体，  ２２  スタンド，  ３２  LED，  ３３  対物レンズ，  ３４  ズーム光学系，  ３５  結像光学系，  ３６  CCD，  ３７  小型モニタ，  ３８  メモリ，  ３９  ズームスイッチ，  ４０  調光スイッチ，  ４１  キャプチャボタン，  ４２  切り替えボタン，  ４３  制御基板，  ４４  バッテリ，  ４５−１，４５−２，４５  コネクタ，  ４８  アーム，  ５０  ズームスイッチ，  ５１  調光スイッチ，  ５３  充電ユニット，  ５４  制御基板，  ８１  メスアリ，  ８２  オスアリ
【図１】
2010256439.tif 000003
【図２】
2010256439.tif 000004
【図３】
2010256439.tif 000005
【図４】
2010256439.tif 000006
【図５】
2010256439.tif 000007